(57)【特許請求の範囲】
【請求項１】
オゾンガスを水に溶解させたオゾン水または該オゾン水とオゾンガスを混合させたものを原水と接触させることにより、原水のオゾン処理を行うオゾン接触槽において、上記オゾン水またはオゾンガスとオゾン水を混合させたものを、水平方向に流れる原水の流れ方向と異なる方向であってオゾン噴流の速度ベクトルと原水の速度ベクトルとの内積が零または負となる方向にオゾン噴流を噴出し、原水の流速よりも大きい噴出速度を有するオゾン噴流として上記オゾン接触槽内に噴出する注入装置を備え、上記注入装置の噴出口を、原水の流れに沿った異なる複数の位置で、上記流れ方向に隣接する噴出口同士が、上記原水の流れ方向から見て重複しない位置に配置し、上流側のオゾン噴流により縮流された前記原水の流れが、下流側のオゾン噴流に対向することを特徴とするオゾン接触槽。
【請求項２】
注入装置の噴出口は、複数の位置において、それぞれリング状に複数個配置され、これらの噴出口から噴出されるオゾン噴流が旋回流を形成するように、各噴出口のオゾン噴流を噴出する向きは、原水の流れ方向に垂直な断面内への射影成分の向きが隣接する噴出口同士で徐々に変化して合計３６０度変わるように配置されたことを特徴とする請求項１に記載のオゾン接触槽。
【請求項３】
原水の流れに沿って隣接する位置にある噴出口がつくる旋回流の旋回の向きは、互いに逆向きとなるように配置されたことを特徴とする請求項２に記載のオゾン接触槽。
【発明の詳細な説明】
【技術分野】
【０００１】
本発明は、オゾンガスやオゾン水を用いて上下水道の殺菌・浄化処理を行う、オゾン接触槽に関するものである。
【背景技術】
【０００２】
従来より、上下水道の殺菌・浄化処理のために設けられるオゾン接触槽においては、例えば下記特許文献１に記載された殺菌・浄化処理におけるオゾン接触槽のように、原水とオゾンガスを混合攪拌し、このオゾンガスの一部が溶解したオゾン水と溶解しなかったオゾンガスの微細気泡の混合物であるオゾン化空気原水を接触槽内へ注入するよう構成されている。図２１に前記公開特許公報に示された従来例１によるオゾン接触槽の要部の構成を示す。図において、１００はオゾン接触槽、１０１、１０１ａは原水、１０２、１０２ａは原水供給口、１０３はオゾン化空気原水、１０４はオゾン化空気原水供給口、１０５は予混合槽、１０６は強制混合攪拌槽、１０７は散気管、１０８はオゾンガス、１０９は処理水、１１０は連絡管である。
【０００３】
次に動作について説明する。原水供給口１０２ａから流入する原水１０１ａと散気管１０７から散気されるオゾンガス１０８は、予混合槽１０５において混合される。予混合槽１０５において混合された原水１０１ａとオゾンガス１０８は、さらに内部にプロペラ回転式の攪拌装置を有する強制混合攪拌槽１０６において攪拌混合されることにより、オゾンガス１０８の一部が原水１０１ａに溶解したオゾン水と溶解しなかったオゾンガスの微細気泡からなるオゾン化空気原水１０３となり、オゾン化空気原水供給口１０４からオゾン接触槽１へ注入される。オゾン化空気原水１０３は、オゾン接触槽１を上向きに流れる間に原水供給口１０２から注入される原水１０１と接触して溶解し、原水は、オゾンによって殺菌・浄化処理された後処理水１０９となる。処理水１０９は連絡管１１０を通ってオゾン接触槽１から排出される。
【０００４】
また、オゾン接触槽に障害物を設けてオゾンガスの原水への混合溶解を図る従来例２として下記特許文献２があり、その概略構成を図２２に示す。図において、１１１はオゾンガスと原水の混合物、１１２はオゾンガスと原水の混合物の流入口、１１３はオゾン接触槽、１１４は邪魔板、１１５は処理水、１１６は処理水の流出口、１１７はオゾンガス、１１８はオゾンガス出口である。
【０００５】
オゾンガスと原水の混合物１１１はオゾンガスと原水の混合物の流入口１１２からオゾン接触槽１１３へ流入し、邪魔板１１４によって流路長が長くなった流路を流れる間に溶解が進み殺菌・浄化処理された後に処理水１１５となる。処理水１１５は処理水の流出口１１６から排出され、溶解せずに原水を通り抜けたオゾンガス１１７はオゾンガス出口１１８から排出される。
【先行技術文献】
【特許文献】
【０００６】
【特許文献１】特開平４−２９７９８号公報
【特許文献２】実開平２−１２５７９８号公報
【発明の概要】
【発明が解決しようとする課題】
【０００７】
上記特許文献１に記載された従来例１によるオゾン接触槽では、オゾンガスをより効果的に原水と接触させるために、予め原水中にオゾンガスの一部を溶解させてオゾン水とするとともに、溶解しなかったオゾンガスを微細気泡とし、これらの混合物であるオゾン化空気原水１０３としてオゾン接触槽１００へ注入するが、注入されたオゾンガスやオゾン水は接触槽１００を上向きに流れる間に層流拡散により反応が進むだけであり、接触槽１００内で積極的にオゾンによる化学反応を促進する構造はなく、処理能力に劣る。また、処理能力が劣る分、多量のオゾンガスを必要とするために、運転コストが増加するという問題があった。
【０００８】
また、上記特許文献２に記載された従来例２によるオゾン殺菌槽に障害物を設置する構造では、オゾンガスまたはオゾン水と原水の接触滞留時間を長くすることで、オゾンによる化学反応量を増加させようとするものであり、障害物１１４を用いて積極的に流れ場に乱れを与えて、オゾンガスまたはオゾン水と原水の混合を促進する構造ではなく、やはりその処理能力の向上に限界がある。
【０００９】
本発明は、上記のような従来のものの問題点を解決するためになされたものであり、オゾンと原水との混合を促進して両者の接触量を増大させることにより、処理能力が向上したオゾン接触槽を提供することを目的としている。
【課題を解決するための手段】
【００１０】
この発明に係るオゾン接触槽は、オゾンガスを水に溶解させたオゾン水または該オゾン
水とオゾンガスを混合させたものを原水と接触させることにより、原水のオゾン処理を行うオゾン接触槽において、上記オゾン水またはオゾンガスとオゾン水を混合させたものを、水平方向に流れる原水の流れ方向と異なる方向であってオゾン噴流の速度ベクトルと原水の速度ベクトルとの内積が零または負となる方向にオゾン噴流を噴出し、原水の流速よりも大きい噴出速度を有するオゾン噴流として上記オゾン接触槽内に噴出する注入装置を備え、上記注入装置の噴出口を、原水の流れに沿った異なる複数の位置で、上記流れ方向に隣接する噴出口同士が、上記原水の流れ方向から見て重複しない位置に配置し、上流側のオゾン噴流により縮流された前記原水の流れが、下流側のオゾン噴流に対向することを特徴とするものである。
【発明の効果】
【００１１】
この発明は、オゾン水またはオゾンガスとオゾン水を混合させたものを、原水の流れ方向と異なる方向に、原水の流速よりも大きい噴出速度を有するオゾン噴流として上記オゾン接触槽内に噴出する注入装置を備え、上記注入装置の噴出口を、原水の流れに沿った異なる複数の位置で、上記流れ方向に隣接する噴出口同士が、上記原水の流れ方向から見て重複しない位置に配置したことにより、オゾン噴流がオゾン接触槽内へ広がりやすく、オゾンと原水の接触量が増大して処理能力が向上し、上流側の噴出口から噴出されたオゾン噴流と接触せずに下流へ流れてきた原水を、下流側の噴出口から噴出されるオゾン噴流と効果的に接触させることができ、処理能力をより向上させることができる。
【図面の簡単な説明】
【００１２】
【図１】本発明の実施の形態１によるオゾン接触槽を示し、（ａ）は上面図、（ｂ）は垂直断面図である。
【図２】本発明の実施の形態１に係り、図１の要部を拡大してオゾン噴流と原水の流れる様子を模式的に示し、（ａ）は斜視図、（ｂ）は垂直断面図である。
【図３】本発明の実施の形態１に係り、オゾン噴流の仰角を変えた場合の噴出口近傍の流れの様子を説明する図であり、（ａ）は仰角を４５度とした場合、（ｂ）は仰角を０度とした場合を示している。
【図４】本発明の実施の形態１に係り、迎角が４５度の場合と迎角が０度の場合における大腸菌個数の変化を示す特性図である。
【図５】本発明の実施の形態１によるオゾン接触槽の変形例の一例の要部を拡大してオゾン噴流と原水の流れる様子を模式的に示す斜視図である。
【図６】本発明の実施の形態１によるオゾン接触槽の変形例の一例の要部を拡大してオゾン噴流と原水の流れる様子を模式的に示す斜視図である。
【図７】本発明の実施の形態１によるオゾン接触槽の変形例の一例の要部を拡大してオゾン噴流と原水の流れる様子を模式的に示す斜視図である。
【図８】本発明の実施の形態１によるオゾン接触槽の変形例の一例の要部を拡大してオゾン噴流と原水の流れる様子を模式的に示す斜視図である。
【図９】本発明の実施の形態１によるオゾン接触槽の変形例の一例の要部を拡大してオゾン噴流と原水の流れる様子を模式的に示す斜視図である。
【図１０】本発明の実施の形態１によるオゾン接触槽の変形例の一例の要部を拡大してオゾン噴流と原水の流れる様子を模式的に示す斜視図である。
【図１１】本発明の実施の形態２によるオゾン接触槽の噴出口近傍の流れの様子を説明する図である。
【図１２】本発明の実施の形態２に係り、オゾン噴流の速度を変化させた場合における大腸菌個数の変化を示す特性図である。
【図１３】本発明の実施の形態３によるオゾン接触槽の要部を拡大してオゾン噴流と原水の流れる様子を模式的に示し、（ａ）は斜視図、（ｂ）は垂直断面図である。
【図１４】本発明の実施の形態３によるオゾン接触槽の変形例の一例の要部を拡大してオゾン噴流と原水の流れる様子を模式的に示す斜視図である。
【図１５】本発明の実施の形態３によるオゾン接触槽の変形例の一例の要部を拡大してオゾン噴流と原水の流れる様子を模式的に示す斜視図である。
【図１６】本発明の実施の形態３によるオゾン接触槽の変形例の一例の要部を拡大してオゾン噴流と原水の流れる様子を模式的に示す斜視図である。
【図１７】本発明の実施の形態３によるオゾン接触槽の変形例の一例の要部を拡大してオゾン噴流と原水の流れる様子を模式的に示す斜視図である。
【図１８】本発明の実施の形態３によるオゾン接触槽の変形例の一例の要部を拡大してオゾン噴流と原水の流れる様子を模式的に示す斜視図である。
【図１９】本発明の実施の形態４によるオゾン接触槽の要部を拡大してオゾン噴流と原水の流れる様子を模式的に示し、（ａ）は斜視図、（ｂ）は垂直断面図である。
【図２０】本発明の実施の形態４によるオゾン接触槽の変形例の一例の要部を拡大してオゾン噴流と原水の流れる様子を模式的に示す斜視図である。
【図２１】本発明の実施の形態４によるオゾン接触槽の変形例の一例の要部を拡大してオゾン噴流と原水の流れる様子を模式的に示す斜視図である。
【図２２】本発明の実施の形態４によるオゾン接触槽の変形例の一例の要部を拡大してオゾン噴流と原水の流れる様子を模式的に示す斜視図である。
【図２３】本発明の実施の形態５によるオゾン接触槽の要部を拡大してオゾン噴流と原水の流れる様子を模式的に示し、（ａ）は斜視図、（ｂ）は垂直断面図である。
【図２４】本発明の実施の形態５によるオゾン接触槽の変形例の一例の要部を拡大してオゾン噴流と原水の流れる様子を模式的に示す斜視図である。
【図２５】本発明の実施の形態５によるオゾン接触槽の変形例の一例の要部を拡大してオゾン噴流と原水の流れる様子を模式的に示す斜視図である。
【図２６】本発明の実施の形態５によるオゾン接触槽の変形例の一例の要部を拡大してオゾン噴流と原水の流れる様子を模式的に示す斜視図である。
【図２７】本発明の実施の形態５によるオゾン接触槽の変形例の一例の要部を拡大してオゾン噴流と原水の流れる様子を模式的に示す斜視図である。
【図２８】本発明の実施の形態５によるオゾン接触槽の変形例の一例の要部を拡大してオゾン噴流と原水の流れる様子を模式的に示す斜視図である。
【図２９】本発明の実施の形態６によるオゾン接触槽の要部を拡大してオゾン噴流と原水の流れる様子を模式的に示し、（ａ）は斜視図、（ｂ）は垂直断面図である。
【図３０】本発明の実施の形態６によるオゾン接触槽の変形例の一例の要部を拡大してオゾン噴流と原水の流れる様子を模式的に示す斜視図である。
【図３１】本発明の実施の形態６によるオゾン接触槽の変形例の一例の要部を拡大してオゾン噴流と原水の流れる様子を模式的に示す斜視図である。
【図３２】本発明の実施の形態６によるオゾン接触槽の変形例の一例の要部を拡大してオゾン噴流と原水の流れる様子を模式的に示す斜視図である。
【図３３】本発明の実施の形態８によるオゾン接触槽の要部を拡大してオゾン噴流と原水の流れる様子を模式的に示し、（ａ）は斜視図、（ｂ）は垂直断面図である。
【図３４】本発明の実施の形態８に係り、注入装置の設置場所を変化させた場合における大腸菌個数の変化を示す特性図である。
【図３５】本発明の実施の形態８によるオゾン接触槽の変形例の一例の要部を拡大してオゾン噴流と原水の流れる様子を模式的に示す斜視図である。
【図３６】本発明の実施の形態８によるオゾン接触槽の変形例の一例の要部を拡大してオゾン噴流と原水の流れる様子を模式的に示す斜視図である。
【図３７】本発明の実施の形態８によるオゾン接触槽の変形例の一例の要部を拡大してオゾン噴流と原水の流れる様子を模式的に示す斜視図である。
【図３８】本発明の実施の形態９によるオゾン接触槽の要部を拡大してオゾン噴流と原水の流れる様子を模式的に示し、（ａ）は斜視図、（ｂ）は垂直断面図、（ｃ）は上流側から見た平面図である。
【図３９】本発明の実施の形態９によるオゾン接触槽の変形例の一例を要部を拡大してオゾン噴流と原水の流れる様子を模式的に示し、（ａ）は斜視図、（ｂ）は垂直断面図、（ｃ）は上流側から見た平面図である。
【図４０】本発明の実施の形態１０によるオゾン接触槽の要部を拡大してオゾン噴流と原水の流れる様子を模式的に示し、（ａ）は斜視図、（ｂ）は垂直断面図、（ｃ）は上流側から見た平面図である。
【図４１】従来例１によるオゾン接触槽の要部の構成を示す断面図である。
【図４２】従来例２によるオゾン接触槽の要部の構成を示す断面図である。
【発明を実施するための形態】
【００１３】
実施の形態１．
図１は、例えばオゾンを利用した上下水道の殺菌浄水処理に用いられる本発明の実施の形態１によるオゾン接触槽の構成を示し、（ａ）は上面図、（ｂ）は垂直断面図である。図において、１はオゾン接触槽、２は流路、３は仕切り板、４は原水、５、５ａは処理水、６は原水の導入口、７は処理水の排出口、８はオゾン発生装置、９、９ａはオゾンガス、１０は送水ポンプである。１１は例えばインジェクタよりなる混合装置、１２は例えばスタティックミキサよりなる溶解装置、１３はオゾン水、１４はオゾン噴流、１５は例えばスパージャよりなる注入装置である。
【００１４】
次に動作について説明する。送水ポンプ１０で吸い上げられた処理水の一部５ａは、混合装置１１においてオゾン発生装置８で作られたオゾンガス９ａと混合して溶解装置１２に送られる。溶解装置１２においてオゾンガス９ａは処理水５ａへ溶解してオゾン水１３になるとともに、溶解しなかったオゾンガス９ａは微細気泡状のオゾンガス９となる。オゾン水１３とオゾンガス９は注入装置１５へ送られてオゾン噴流１４として注入装置１５からオゾン接触槽１へ噴出され、オゾン接触槽１へ流入した原水４と化学反応し、処理水５となる。
オゾン接触槽１は図１（ａ）に示したように仕切り板３により１つ以上の流路（レーン）２に分割されており、各流路２あるいは、その中の幾つかの流路２で、このようなプロセスを繰り返すことにより、オゾンガス９ａを利用して原水４を殺菌・浄化処理する。
【００１５】
ここで、図１の注入装置１５付近を拡大してオゾン噴流と原水の流れる様子を模式的に示す図２を用いて本発明の動作をより詳細に示す。図２（ａ）は斜視図、（ｂ）は垂直断面図である。なお、図２は、図１中の１レーン部に対して示したものであるが、図２の構成は各レーンまたはその中のいくつかのレーンにおいて実施される。
【００１６】
注入装置１５は、その噴出口から噴出されるオゾン噴流１４の噴出速度ベクトルと原水４の速度ベクトルとの内積が零または負となるように、すなわちオゾン噴流１４が原水４の流れと対向する成分を有するかまたは直交するように、オゾン接触槽１の底部に横一列に複数設置される。図２では原水４の流れと対向する方向にオゾン噴流１４が噴出される場合について示している。この場合、オゾン噴流１４はオゾン接触槽１の上流から流入してきた原水４の運動エネルギを受けて曲げられ、回転弧１６を描き、原水４と一緒に下流方向へ向かう。このような回転弧１６を有するオゾン噴流１４は、回転弧１６の分だけ原水４の流れ方向に垂直な面内へ広がり、そこへ原水４が流れ込む。オゾン噴流１４は原水４に対向し、オゾン噴流１４と原水４の相対速度差が大きいため、せん断力が増加して局所的な乱れが増加する。これにより、オゾン噴流１４へ流れ込んだ原水４は、オゾンと反応して処理水５となる。ここで、オゾン噴流１４中のオゾン濃度が高い場合、処理水５中には未反応の残存オゾンが含まれる。
次に、この残存オゾンを含んだ処理水５は、オゾン噴流１４により、オゾン接触槽１の上方へ持ち上げられるとともに、オゾン噴流１４の抵抗により流路断面積が減少するため、縮流されて下流方向へ加速される。一方、オゾン接触槽１の上流より流れ込む原水４の中で、注入装置１５の噴出口の付近を通らない原水４ｂは、オゾン噴流１４と接触することなく、オゾン接触槽１の上部をバイパスして下流へ流れる。ここで、原水４ｂも処理水５と同様に、オゾン噴流１４の抵抗を受けて流路断面積が減少するため、縮流されて下流方向へ加速される。ここで、上方へ加速された処理水５は、上向き成分を持って原水４ｂと衝突し、縮流および加速された原水４ｂと処理水５は共に下流へ進みながら混ざり合い、反応する。
【００１７】
本実施の形態は以上のように構成されているので、オゾン噴流１４が曲げられてできる回転弧１６が原水４の流れ方向に垂直な断面内に広がり、オゾン噴流１４と原水４の接触量が増大する。ここで、接触するオゾン噴流１４はオゾン濃度が高いうえ、原水４は未反応であるため、接触部での濃度勾配が大きく局所反応速度が最大となる。
さらに、図２ではオゾン噴流１４と原水４が対向しており、オゾン噴流１４と原水４の相対速度差により生じるせん断力が増加し、大きな乱れが発生するため局所的に混合が促進される。
一方、残存オゾンを含む処理水５とオゾン噴流１４と接触せずに下流へ流れる原水４ｂは、共にオゾン噴流１４の抵抗を受けて縮流されることにより接触し、反応が進む。
さらに、縮流された際に、処理水５が上方向成分を持って流れが加速され、原水４ｂと衝突するため、乱れが大きくなり、局所的な混合が促進される。
以上の理由により、従来のオゾン接触槽と比べて殺菌・浄化処理能力が飛躍的に向上するという効果を奏する。
【００１８】
ここで、オゾン噴流１４を原水４に対向させる場合に、オゾン接触槽１の処理能力が最大となる注入装置１５すなわちその噴出口の取り付け角度は、迎角２０が０度で、完全にオゾン噴流１４の噴出方向と原水４の流れ方向が正反対になる場合である。
以下、このことについて図を用いて説明する。図３（ａ）は迎角２０を４５度とした場合、図３（ｂ）は迎角２０を０度とした場合の噴出口近傍の流れの様子を説明する図である。対向する方向の相対速度が大きいほど、回転弧１６の近傍すなわち衝突噴流のよどみ点における混合が促進されるため、オゾン噴流１４を同じ速度で噴出する場合、迎角２０が０度の方が４５度よりも浄化・殺菌処理能力が向上することがわかる。
【００１９】
図４は迎角が４５度の場合と迎角が０度の場合について、流動・反応に対する数値解析を用いて大腸菌の減少量を検討したものである。図中の横軸はオゾン接触槽入口からの距離、縦軸は流路断面内の平均大腸菌個数を示す。大腸菌個数の減少はオゾン接触槽の処理能力の基準値となる。横軸に示した３０ｍ間隔が各レーンの長さに相当し、注入装置１５を各レーンの入口から５ｍ下流の位置で底部に横一列に等間隔に１２個取り付けた。レーンの幅は２．４ｍ、水深は３ｍとした。また、原水の流速は０．１６ｍ／ｓ、オゾン噴流の噴出速度は１．４５ｍ／ｓとした。縦軸の３０００個／ｍｌの線は、出口部における流路断面内の平均大腸菌個数の残量評価基準値を示す。入口部における流路断面内の平均大腸菌個数は１００００個／ｍｌであり、注入装置１５から噴出されるオゾンの注入率を１ｍｇ／ｌとした。
この図より、明らかに迎角を０度とした場合に、処理能力が向上することがわかる。
【００２０】
なお、本実施の形態では、注入装置１５はオゾン接触槽１の流路２の底部に横一列に設置する例を挙げたが、注入装置１５の設置位置や設置数、迎角の大きさ等の設置角度は任意であり、原水４の流れと対向する成分を有するかまたは直交する方向にオゾン噴流１４を噴出するように少なくとも１つの注入装置１５を設置したものであればよい。図５〜１０に変形例の一例を示す。図５は注入装置１５をオゾン接触槽１の流路２中央に横一列に設置した場合、図６は注入装置１５をオゾン接触槽１の流路２の上側に横一列に設置した場合、図７は注入装置１５をオゾン接触槽１の流路２における原水の流れに直交する断面の周囲にリング状に設置した場合、図８は注入装置１５をオゾン接触槽１の流路２における原水の流れに直交する断面の中央に集中して設置した場合、図９は注入装置１５を接触槽１の流路２における原水の流れに直交する断面の全域に分散させて設置した場合、図１０は注入装置１５を接触槽１の流路２の中央に鉛直方向すなわち縦一列に設置した場合である。
【００２１】
実施の形態２．
図１１は、本発明の実施の形態２によるオゾン接触槽の噴出口近傍の流れの様子を説明する図である。オゾン接触槽の全体的な構成は実施の形態１と同様である。図１１は実施の形態１の図３（ｂ）で示したものに比べて噴流の噴出速度を大きくした場合を示している。
【００２２】
注入装置１５から噴出されるオゾン噴流１４は、その噴出速度を大きくすることによりオゾン噴流１４の運動エネルギが大きくなり、より大きな回転弧１６を描いてオゾン接触槽１の断面内に広がり、オゾン噴流１４と原水４の接触量が増大する。実施の形態１で説明したように、接触するオゾン噴流１４はオゾン濃度が高いうえ、原水４は未反応であるため、接触部での濃度勾配が大きく局所反応速度が最大となる。さらに、オゾン噴流１４と原水４の対向する速度差が増大し、より大きな乱れが発生するため、局所的な混合が一層促進される。
一方、残存オゾンを含む処理水５とオゾン噴流１４と接触せずに下流へ流れる原水４ｂは、より大きなオゾン噴流１４の抵抗を受けて、大きな割合で縮流されることにより接触割合が増大し、反応が促進される。さらに、処理水５が縮流される際に、上向きの流速成分が一層大きくなって原水４ｂと衝突するため、より乱れが大きくなり、局所的に混合が促進される。
以上の理由により、オゾン噴流１４は、同じ方向に噴出される場合には、その噴出速度が大きいほど殺菌・浄化処理能力が向上する。
【００２３】
ここで、注入装置１５から噴出されるオゾン噴流の噴出速度が大きいほどオゾン接触槽１の殺菌・浄化処理能力が向上することを数値解析を用いて実証した結果について述べる。図１２は原水４の流速が０．１６ｍ／ｓで、オゾン噴流１４の噴出速度を１．４５ｍ／ｓ、２．００ｍ／ｓおよび２．４２ｍ／ｓとした場合について、流動・反応に対する数値解析を用いて大腸菌の減少量を検討したものである。図の見方は図４と同じである。図中の横軸はオゾン接触槽入口からの距離、縦軸は流路断面内の平均大腸菌個数を示す。大腸菌個数の減少はオゾン接触槽の処理能力の基準値となる。横軸に示した３０ｍ間隔が各レーンの長さに相当し、注入装置１５を各レーンの入口から５ｍ下流の位置で底部に横一列に等間隔に１２個取り付けた。レーンの幅は２．４ｍ、水深は３ｍとした。縦軸の３０００個／ｍｌの線は、出口部における流路断面内の平均大腸菌個数の残量評価基準値を示す。入口部における流路断面内の平均大腸菌個数は１００００個／ｍｌであり、注入装置１５から噴出されるオゾンの注入率を３ｍｇ／ｌとした。
この図より、明らかに噴出速度が２．４２ｍ／ｓの場合に、大腸菌の減少速度が大きくオゾン噴流１４の噴出速度が大きいほどオゾン接触槽の処理能力が向上することがわかるが、出口部においては、噴出速度が２．００ｍ／ｓの場合も、噴出速度が２．４２ｍ／ｓの場合と同様に大腸菌個数はゼロに近づいており、流路の寸法や入り口部における大腸菌個数等の各条件に応じて適宜選ぶとよい。
なお、オゾン噴流１４の噴出速度は大きければ大きい程よいというものでもなく、図１に示したように処理水５ａをポンプ１０で吸い上げてからオゾン噴流１４として注入装置１５から噴出するまでの流路抵抗や、ポンプ１０の動力、オゾン噴流１４が噴出する際に対向する原水４から受ける抵抗力等の影響により、上限があると考えられる。
【００２４】
なお、本実施の形態では、オゾン噴流１４を噴出する供給装置１５をオゾン接触槽１の流路２の底部に横一列に設置する例を挙げたが、注入装置１５の設置位置や設置数は任意であり、原水４の流れと対向する成分を有するかまたは直交する方向にオゾン噴流１４を噴出するように少なくとも１つの注入装置１５を設置したものであれば、同様のことが言える。
【００２５】
実施の形態３．
図１３は、本発明の実施の形態３によるオゾン接触槽の要部を拡大して示し、（ａ）は斜視図、（ｂ）は垂直断面図である。図１３は、１レーン部に対して示したものであるが、図１３の構成は各レーンまたはその中のいくつかのレーンにおいて実施される。なお、オゾン接触槽の全体的な構成は実施の形態１と同様である。
本実施の形態では、注入装置１５はその噴出口から原水４の流れと対向する方向にオゾン噴流１４を噴出するようにオゾン接触槽１の底部に複数個、横一列に配置されており、原水４の流れに直交する流路断面積を減少させる板状の障害物２３が、注入装置１５の噴出口の上流側でしかもオゾン接触槽１の上部に、原水４の流れに垂直に設けられている。
【００２６】
次に動作について説明する。本実施の形態においても、オゾン噴流１４は原水４に対向して噴出されるため、回転弧１６を描いて下流側へ向きを変える。一方、原水４は、注入装置１５の上流側に設けられた障害物２３により縮流されるため、その速度は加速される。この、縮流および加速された原水４は、回転弧１６へ流れ込み、オゾン噴流１４と接触する。
【００２７】
本実施の形態は以上のように構成されているので、障害物２３を設けたことにより、流路の原水４の流れに直交する断面全体に広がっている原水４を強制的に注入装置１５の噴出口付近に集めることが可能となり、原水４とオゾン噴流１４の接触量が一層増加する。さらに原水４の流速が増大するので、オゾン噴流１４の原水流れ方向に対向する速度成分と原水４の流速との相対速度差が大きくなり、回転弧１６の近傍すなわち衝突よどみ点の乱れ増大による混合が促進され、殺菌・浄化処理能力がより向上するという効果を奏する。
【００２８】
なお、本実施の形態では、障害物２３をオゾン接触槽１の流路２の中央付近から水面までを塞き止めるように設置したが、取り付け位置や個数、形状は任意であり、少なくとも原水４がオゾン噴流１４の回転弧１６の部分へ縮流されるように設置されたものであればよい。図１４〜１８に変形例の一例を示す。図１４は注入装置１５の噴出口をオゾン接触槽１の流路２の中央に横一列に設置し、障害物２３を上部と底部に設置した場合、図１５は注入装置１５の噴出口をオゾン接触槽１の流路２の上側に横一列に設置し、障害物２３を底部に設置した場合、図１６は注入装置１５の噴出口をオゾン接触槽１の流路２における原水４の流れに直交する断面の周囲にリング状に設置し、障害物２３を中央部に設置した場合、図１７は注入装置１５の噴出口をオゾン接触槽１の流路２における原水の流れに直交する断面の中央に集中して設置し、障害物２３を周囲に設置した場合、図１８は注入装置１５の噴出口をオゾン接触槽１の流路２の中央に鉛直方向に縦一列に設置し、障害物２３を左右側部に設置した場合である。
【００２９】
なお、本実施の形態では注入装置１５はその噴出口から原水４の流れに対向する方向にオゾン噴流１４を噴出するように設置された場合について示したが、これに限るものではなく、原水の流れに対向する成分を有するかまたは直交する方向にオゾン噴流を噴出するように設置された場合にも同様の効果が得られる。
【００３０】
実施の形態４．
図１９は、本発明の実施の形態４によるオゾン接触槽の要部を拡大して示し、（ａ）は斜視図、（ｂ）は垂直断面図である。図１９は、１レーン部に対して示したものであるが、図１９の構成は各レーンまたはその中のいくつかのレーンにおいて実施される。なお、オゾン接触槽の全体的な構成は実施の形態１と同様である。
本実施の形態では、実施の形態３と同じく、注入装置１５はその噴出口から原水４の流れと対向する方向にオゾン噴流１４を噴出するようにオゾン接触槽１の流路２の底部に複数個、横一列に配置されている。また、噴出口の上流側に流路断面積を減少させる板状の障害物２３が設置されるが、本実施の形態では障害物２３は原水４の流れに垂直ではなく、オゾン接触槽１の上方から見て原水４の流れに対して傾斜を持って設置されている。
【００３１】
次に動作について説明する。実施の形態３と同じく、原水４は、注入装置１５の上流側に設けられた障害物２３により縮流されるため、その速度は加速される。この、縮流および加速された原水４は、回転弧１６へ流れ込み、オゾン噴流１４と接触する。さらに、障害物２３が原水４の流れ方向に対して傾いているため、障害物２３により縮流された原水４は、旋回成分をもって回転弧１６へ流れ込む。
【００３２】
本実施の形態は以上のように構成されているので、実施の形態３の効果に加えて、障害物２３により縮流された原水４が、旋回成分をもって回転弧１６へ流れ込むことにより渦粘性が大きくなるため、混合が一層促進され、殺菌・浄化処理能力がより向上するという効果が得られる。
【００３３】
なお、本実施の形態では、中央付近から水面までを塞き止めるような板状の障害物２３を原水４の流れ方向に対して傾けるようにして設置したが、取り付け位置や数、形状は任意であり、少なくとも原水４がオゾン噴流１４の回転弧１６の部分へ縮流されるとともに、原水４に旋回成分を与えてオゾン噴流１４との反応を促進できる構造であればよい。図２０〜２２に変形例の一例を示す。図２０は下面が斜めに切断された台形状の板２３を、原水４の流れ方向に垂直な状態で設置した場合、図２１は板ではなくブロック形状の障害物２３を設置した場合、図２２は注入装置１５が中央に横一列にある場合に、板状の障害物２３を上下に分け、傾斜を逆にして設置した場合である。
【００３４】
なお、本実施の形態では注入装置１５はその噴出口から原水４の流れに対向する方向にオゾン噴流１４を噴出するように設置された場合について示したが、これに限るものではなく、原水の流れに対向する成分を有するかまたは直交する方向にオゾン噴流を噴出するように設置された場合にも同様の効果が得られる。
【００３５】
実施の形態５．
図２３は、本発明の実施の形態５によるオゾン接触槽の要部を拡大して示し、（ａ）は斜視図、（ｂ）は垂直断面図である。図２３は、１レーン部に対して示したものであるが、図２３の構成は各レーンまたはその中のいくつかのレーンにおいて実施される。なお、オゾン接触槽の全体的な構成は実施の形態１と同様である。
本実施の形態では、注入装置１５はその噴出口から原水４の流れと対向する方向にオゾン噴流１４を噴出するようにオゾン接触槽１の底部に複数個、横一列に設置されており、原水４の流路断面積を減少させる障害物２３が、注入装置１５の噴出口よりも下流側でしかもオゾン接触槽１の上部に、原水４の流れに垂直に設けられている。
【００３６】
次に動作について説明する。本実施の形態においても、オゾン噴流１４は原水４に対向して噴出するため、回転弧１６を描いて下流側へ向きを変える。まず、注入装置１５の噴出口付近において、注入装置１５の噴出口近傍を流れる原水４は、オゾン噴流１４と接触し、反応して処理水５となる。一方、オゾン噴流１４から離れた位置をバイパスして流れる原水４ｂは、オゾン噴流１４と接触せずに下流へ流れる。次に、注入装置１５の噴出口より下流側において、原水４ｂおよび残存オゾンを含む処理水５は、下流側に設けられた障害物２３により流路断面積が小さくなり縮流される。これにより、縮流された原水４ｂは、残存オゾンを含む処理水５と接触する。
【００３７】
本実施の形態は以上のように構成されているので、噴出口近傍において注入装置１５の噴出口から噴出されるオゾン噴流１４と接触せずにバイパスして流れる原水４ｂと、残存オゾンを含む処理水５とを、噴出口の下流側において強制的に接触させることが可能となり、原水４とオゾン噴流１４の接触量が一層増加するため、処理能力がより向上するという効果を奏する。
【００３８】
なお、本実施の形態では、障害物２３をオゾン接触槽１の流路２の中央付近から水面までを塞き止めるように設置したが、取り付け位置や数、形状は任意であり、少なくともオゾン噴流１４と接触せずにバイパスして下流へ流れる原水４と、残存オゾンを含む処理水５とを縮流させて、接触させられるように設置されたものであればよい。図２４〜２８に変形例の一例を示す。図２４は注入装置１５の噴出口をオゾン接触槽１の流路２の中央に横一列に設置し、障害物２３を上部と底部に設置した場合、図２５は注入装置１５の噴出口をオゾン接触槽１の流路２の上側に横一列に設置し、障害物２３を底部に設置した場合、図２６は注入装置１５の噴出口をオゾン接触槽１の流路２における原水の流れに直交する断面の周囲にリング状に設置し、障害物２３を中央部に設置した場合、図２７は注入装置１５の噴出口をオゾン接触槽１の流路２における原水の流れに直交する断面の中央に集中して設置し、障害物２３を周囲に設置した場合、図２８は注入装置１５の噴出口をオゾン接触槽１の流路２の中央に鉛直方向に縦一列に設置し、障害物２３を左右側部に設置した場合である。
【００３９】
なお、本実施の形態では注入装置１５はその噴出口から原水４の流れに対向する方向にオゾン噴流１４を噴出するように設置された場合について示したが、これに限るものではなく、原水の流れに対向する成分を有するかまたは直交する方向にオゾン噴流を噴出するように設置された場合にも同様の効果が得られる。
【００４０】
実施の形態６．
図２９は、本発明の実施の形態６によるオゾン接触槽の要部を拡大して示し、（ａ）は斜視図、（ｂ）は垂直断面図である。図２９は、１レーン部に対して示したものであるが、図２９の構成は各レーンまたはその中のいくつかのレーンにおいて実施される。なお、オゾン接触槽の全体的な構成は実施の形態１と同様である。
本実施の形態では、実施の形態５と同じく、注入装置１５はその噴出口から原水４の流れと対向する方向にオゾン噴流１４を噴出するようにオゾン接触槽１の底部に複数個、横一列に配置されている。また、噴出口の下流側に流路断面積を減少させる板状の障害物２３が設置されるが、本実施の形態では障害物２３は原水４の流れに垂直ではなく、オゾン接触槽１の上方から見て原水４の流れに対して傾斜を持って設置されている。
【００４１】
次に動作について説明する。実施の形態５と同じく、オゾン噴流１４をバイパスして流れる原水４ｂと残存オゾンを含む処理水５とは、注入装置１５の噴出口の下流側に設けられた障害物２３により縮流されて、接触する。一方、障害物２３が原水４の流れ方向に対して傾いているため、障害物２３により縮流された原水４ｂおよび残存オゾンを含む処理水５は、旋回成分をもって下流へ流れる。
【００４２】
本実施の形態は以上のように構成されているので、オゾン噴流１４と接触せずにバイパスして流れる原水４ｂと、残存オゾンを含む処理水５とを強制的に接触させることに加えて、これらに旋回成分をもたせて混合を一層促進させることができるため、殺菌・浄化処理能力がより向上するという効果が得られる。
【００４３】
なお、本実施の形態では、中央付近から水面までを塞き止めるような板状の障害物２３を原水４の流れ方向に対して傾けるようにして設置したが、取り付け位置や数、形状は任意であり、少なくとも、オゾン噴流１４と接触せずにバイパスして下流へ流れる原水４と、残存オゾンを含む処理水５とを縮流させて接触させるとともに、これらに旋回成分を与えて混合を促進する構造であればよい。図３０〜３２に変形例の一例を示す。図３０は下面が斜めに切断された台形状の板２３を、原水４の流れ方向に垂直な状態で設置した場合、図３１は板ではなくブロック形状の障害物２３を設置した場合、図３２は注入装置１５が中央に横一列にある場合に、板状の障害物２３を上下に分け、傾斜を逆にして設置した場合である。
【００４４】
なお、本実施の形態では注入装置１５はその噴出口から原水４の流れに対向する方向にオゾン噴流１４を噴出するように設置された場合について示したが、これに限るものではなく、原水の流れに対向する成分を有するかまたは直交する方向にオゾン噴流を噴出するように設置された場合にも同様の効果が得られる。
【００４５】
実施の形態７．
なお、上記実施の形態３および４では障害物２３を注入装置１５の噴出口より上流側に、実施の形態５および６では障害物２３を注入装置１５の噴出口より下流側にそれぞれ設置した場合について説明したが、障害物２３を注入装置１５の噴出口の近傍に設置してもよく、この場合には噴出口より上流側に設置した場合の作用効果と下流側に設置した場合の作用効果の両方が得られる。
【００４６】
実施の形態８．
図３３は、本発明の実施の形態８によるオゾン接触槽の要部を拡大して示し、（ａ）は斜視図、（ｂ）は垂直断面図である。図３３は、１レーン部に対して示したものであるが、図３３の構成は各レーンまたはその中のいくつかのレーンにおいて実施される。なお、オゾン接触槽の全体的な構成は実施の形態１と同様である。
本実施の形態では、オゾン接触槽１の流路２の上流側の底部に、原水４の流れと対向する方向にオゾン噴流１４を噴出する注入装置１５を複数個、横一列に配置し、さらに下流側の上部に、原水４の流れと対向する方向にオゾン噴流１４を噴出する注入装置１５ａを複数個、横一列に配置している。
このように、本実施の形態では、注入装置１５の噴出口を、原水４の流れに沿った異なる２つの位置で、しかも原水４の流れ方向に隣接する噴出口どうしが、原水４の流れ方向から見て重複しないように設置した。
【００４７】
次に動作の原理を説明する。実施の形態１で説明したように、オゾン接触槽１の流路２の入口から流入してきた原水４は、まず、上流側に位置するオゾン噴流１４の回転弧１６へ流入して、オゾン噴流１４と接触する。ここで、原水４はオゾン噴流１４からの運動エネルギを受けて流路断面積が小さくなり、オゾン接触槽１の上側へ縮流加速される。次に、この加速流れの中に含まれる、オゾン噴流１４と接触せずにバイパスして流れた原水４ｂは、下流側のオゾン接触槽１の上側に設けられたオゾン噴流１４ａと接触して反応する。
【００４８】
本実施の形態は以上のように構成されているので、上流側に設けられた注入装置１５の噴出口から噴出されるオゾン噴流１４と接触せずにバイパスして流れる原水４ｂを、効率よく下流側に設けられた注入装置１５ａの噴出口から噴出されるオゾン噴流１４ａに接触させることができ、殺菌・浄化処理能力がより向上するという効果を奏する。
【００４９】
ここで、注入装置１５の噴出口を上流側ではオゾン接触槽１の底部に、下流側ではオゾン接触槽１の上部に設置した場合に、オゾン接触槽１の殺菌・浄化処理能力が向上することについて説明する。図３４は注入装置を上流側のオゾン接触槽１の底部と下流側のオゾン接触槽１の上部に設置した場合と、注入装置１５を上流側、下流側ともにオゾン接触層の底部に設置した場合と、注入装置１５を上流側のみに設置した場合について、流動・反応に対する数値解析を用いて大腸菌の減少量を検討したものである。図の見方は図４と同じである。図中の横軸はオゾン接触槽入口からの距離、縦軸は流路断面内の平均大腸菌個数を示す。大腸菌個数の減少はオゾン接触槽の処理能力の基準値となる。横軸に示した３０ｍ間隔が各レーンの長さに相当し、注入装置１５を上流側では各レーンの入口から５ｍ下流に、下流側では２０ｍ下流の位置にそれぞれで横一列に等間隔に６個ずつ取り付けた。ただし、上流側のみの場合は各レーンの入口から５ｍ下流の位置に横一列に等間隔に１２個取り付けた。レーンの幅は２．４ｍ、水深は３ｍとした。また、原水の流速は０．１６ｍ／ｓ、オゾン噴流の噴出速度は１．４５ｍ／ｓとした。縦軸の３０００個／ｍｌの線は、出口部における流路断面内の平均大腸菌個数の残量評価基準値を示す。入口部における流路断面内の平均大腸菌個数は１００００個／ｍｌであり、注入装置１５から噴出されるオゾン噴流１４の注入率を１ｍｇ／ｌとした。
この図より、注入装置１５を上流側のみに設置した場合と、上流側・下流側共に底部に設置した場合とで大腸菌の減少量に大きな変化はみられず、明らかに注入装置１５を上流側ではオゾン接触槽１の底部に、下流側ではオゾン接触槽の上部に設置した場合の方が、上流側のみに設置した場合や上流側・下流側共に底部に設置した場合に比べて、大腸菌の減少量が多く、オゾン接触槽の殺菌・浄化処理能力が向上することがわかる。
【００５０】
なお、オゾン噴流１４、１４ａの噴出速度や噴出角度、注入装置１５、１５ａの設置数や設置位置は任意であり、要は、上流側の注入装置１５の噴出口と、その次に下流に配置される注入装置１５ａの噴出口が、原水４の流れ方向から見て重複しない位置に設置され、これにより、上流側のオゾン噴流１４により縮流された原水４の流れが、下流側のオゾン噴流１４ａに対向することにより、反応を促進できる構造であればよい。図３５〜３７に変形例の一例を示す。図３５は上流側の注入装置１５をオゾン接触槽１の中央に横一列に設置し、下流側の注入装置１５ａをオゾン接触槽１の上部と底部に横一列に設置した場合、図３６は上流側の注入装置１５をオゾン接触槽１の上側に横一列に設置し、下流側の注入装置１５ａをオゾン接触槽１の底部に横一列に設置した場合、図３７は上流側の注入装置１５を接触槽１の流路２における原水４の流れに直交する断面の周囲にリング状に設置し、下流側の注入装置１５ａを中央に設置した場合である。
【００５１】
実施の形態９．
図３８は、本発明の実施の形態９によるオゾン接触槽の要部を拡大して示し、（ａ）は斜視図、（ｂ）は垂直断面図、（ｃ）は上流側から見た平面図である。図３８は、１レーン部に対して示したものであるが、図３８の構成は各レーンまたはその中のいくつかのレーンにおいて実施される。なお、オゾン接触槽の全体的な構成は実施の形態１と同様である。
【００５２】
本実施の形態では、オゾン噴流１４を噴出する注入装置１５がリング状に複数個設置され、各注入装置１５は、オゾン噴流を噴出する向きが、原水４の流れ方向に対して対向する成分を有し、かつ、噴出する向きの原水の流れ方向に垂直な断面内への射影成分が複数の注入装置１５の隣接するものどうしの間で徐々に向きが変化して合計３６０度変わるように設置されており、各注入装置１５の噴出口から噴出されるオゾン噴流１４が旋回流２５を形成するように設置されている。
【００５３】
次に動作について説明する。オゾン接触槽１の流路２の入口から流入してきた原水４は、オゾン噴流１４へ流れ込む。まず、原水４とオゾン噴流１４が対向しているため、オゾン噴流１４が下流向きへ転向するための回転弧１６を有し、そこへ原水４が流入して、オゾン噴流１４と反応して処理水５となる。一方、オゾン噴流１４と接触しなかった原水４ｂは、処理水５とともにオゾン噴流１４がつくる旋回流２５の影響を受け、旋回成分を持って下流へ流れる。
【００５４】
本実施の形態は以上のように構成されているので、実施の形態１で説明した効果に加えて、オゾン噴流１４により原水４は旋回成分を受けるため、原水４とオゾン噴流１４の混合が促進されて、処理能力がより向上するという効果が得られる。
【００５５】
なお、本実施の形態では、オゾン噴流１４の噴出速度、注入装置１５の設置数や設置位置は任意であり、要は、各オゾン噴流１４が原水４に対向する成分を有し、かつ、オゾン噴流１４が旋回流２５をつくるように設置されており、オゾン噴流１４と原水４との対向および、旋回による混合促進効果によりオゾン接触槽の処理能力を向上できる構造であればよい。変形例として図３９に注入装置１５をオゾン接触槽１の流路２の中央にリング状に複数個配置した場合を示す。（ａ）は斜視図、（ｂ）は垂直断面図、（ｃ）は上流側から見た平面図である。
またさらに、各オゾン噴流１４が原水４に対向する成分を有さず直交する場合にも、対向成分による混合促進効果が期待できない分程度は小さいものの同様の効果が得られる。
【００５６】
実施の形態１０．
図４０は、本発明の実施の形態１０によるオゾン接触槽の要部を拡大して示し、（ａ）は斜視図、（ｂ）は垂直断面図、（ｃ）は上流側から見た平面図である。図４０は、１レーン部に対して示したものであるが、図４０の構成は各レーンまたはその中のいくつかのレーンにおいて実施される。なお、オゾン接触槽の全体的な構成は実施の形態１と同様である。
【００５７】
本実施の形態では、図４０に示すように、実施の形態９で示したのと同様の、旋回流を形成するようにリング状に複数個配置された注入装置１５および１５ａを、オゾン接触槽１の原水４の流れに沿った異なる２つの位置で、しかも流れ方向に隣接する注入装置の噴出口どうしが、原水４の流れ方向から見て重複しない位置で、しかも流れ方向に隣接するリング状の噴出口がつくる旋回流２５および２５ａの旋回の向きが逆向きとなるように配置している。
【００５８】
次に、動作の原理を説明する。実施の形態９で説明したように、オゾン接触槽１の流路２の入口から流入してきた原水４は、上流側のオゾン噴流１４の回転弧１６へ流入し、化学反応して処理水５となる。また、上流側のオゾン噴流１４と接触しなかった原水４ｂおよび残存オゾンを含む処理水５は、オゾン噴流１４がつくる旋回流２５の影響を受け、旋回流２５の方向に流速成分をもつ流れとなって下流側へ流れる。
このように、上流側のオゾン噴流１４を通過した流れは、原水４の流れに垂直な断面における中央部に縮流されるとともに、時計方向の旋回成分を持って下流側のオゾン噴流１４ａの回転弧１６ａへ流入する。ここで、原水４ｂはオゾン噴流１４ａと接触して反応する。さらに、原水４の流れに垂直な断面において、時計回りの旋回成分をもつ原水４と、反時計周りの旋回流２５ａを持つオゾン噴流１４ａが対向し、混合される。 
【００５９】
本実施の形態は以上のように構成されているので、原水４とオゾン噴流１４が対向し、また、上流側のオゾン噴流１４により縮流された原水４が、下流側のオゾン噴流１４ａに対向し、さらに、原水４の流れ方向から見て、上流側のオゾン噴流により作られる旋回流成分が、下流側のオゾン噴流により作られる旋回流成分と対向するため、混合効果が増し、処理能力が飛躍的に向上するという効果が得られる。
【００６０】
なお、本実施の形態では、オゾン噴流１４、１４ａの噴出速度、注入装置１５、１５ａの設置数や設置位置は任意であり、要は、オゾン噴流１４、１４ａが原水４に対向する成分を有し、また上流側のオゾン噴流１４により縮流された原水４が、下流側のオゾン噴流１４ａに対向し、さらに、原水４の流れに垂直な断面において、上流側のオゾン噴流１４により作られる旋回流成分が、下流側のオゾン噴流１４ａにより作られる旋回流成分と対向して、反応を促進できる構造であればよい。
例えば図４０において、上流側の注入装置１５と下流側の注入装置１５ａを入れ替えることも可能である。
なお、各オゾン噴流１４が原水４に対向する成分を有さず直交する場合にも、対向成分による混合促進効果が期待できない分程度は小さいものの同様の効果が得られる。
【００６１】
なお、上記実施の形態９および１０では、流路２における原水４の流れに垂直な断面内で複数の注入装置１５の噴出口をリング状に配置した場合について示したが、噴出口は螺旋状に配置されてもよく、この場合にも上記各実施の形態と同様の効果が得られる。
【００６２】
なお、上記各実施の形態において、リング状とは円形に限らず楕円形や矩形であってもよい。
【００６３】
なお、上記各実施の形態では、注入装置１５は、オゾン噴流１４の速度ベクトルと原水４の速度ベクトルとの内積が零または負となる方向にオゾン噴流を噴出する、すなわち、オゾン噴流１４は原水４の流れと対向する成分を有するかまたは直交する方向に噴出される場合について説明したが、これに限るものではなく、オゾン噴流１４は原水の流れと平行する同じ成分と直交する成分の両方を持つ方向に噴出されてもよく、この場合にも、オゾン噴流１４が原水４の流れと直交する成分を有するので、オゾン噴流１４がオゾン接触槽１内へ広がりやすく、しかも縮流効果も得られるため、程度は小さいものの上記各実施の形態で説明したのと同様の効果が得られる。
要するに、オゾン水またはオゾンガスとオゾン水を混合させたものを、原水４の流れ方向と異なる方向に、しかも原水４の流速よりも大きい噴出速度を有するオゾン噴流としてオゾン接触槽１内に噴出することにより、オゾン噴流はオゾン接触槽内へ広がりやすく、オゾンと原水４との接触量が増大して処理能力が向上する。
【００６４】
なお、上記各実施の形態では注入装置１５を複数個設置した場合について示したが、複数個のオゾン噴流噴出口を有する注入装置を用いてもよいのは言うまでもない。
【符号の説明】
【００６５】
１  オゾン接触槽、２  流路、３  仕切り板、４、４ｂ  原水、５、５ａ、  処理水、６  導入口、７  排出口、８  オゾン発生装置、９、９ａ  オゾンガス、１０  ポンプ、１１  混合装置、１２  溶解装置、１３  オゾン水、１４、１４ａ  オゾン噴流、１５、１５ａ  注入装置、１６、１６ａ  回転弧、２０  迎角、２３  障害物、２５，２５ａ  旋回流、１００  オゾン接触槽、１０１、１０１ａ  原水、１０２、１０２ａ  原水供給口、１０３  オゾン化空気原水、１０４  オゾン化空気原水供給口、１０５  予混合槽、１０６  強制混合攪拌槽、１０７  散気管、１０８  オゾンガス、１０９  処理水、１１０  連絡管、１１１  オゾンガスと原水の混合物、１１２  オゾンガスと原水の混合物の入口、１１３  オゾン接触槽、１１４  邪魔板、１１５  処理水、１１６  処理水出口、１１７  オゾンガス、１１８  オゾンガス出口。
【図１】
0005045699.tif 000002
【図２】
0005045699.tif 000003
【図３】
0005045699.tif 000004
【図４】
0005045699.tif 000005
【図５】
0005045699.tif 000006
【図６】
0005045699.tif 000007
【図７】
0005045699.tif 000008
【図８】
0005045699.tif 000009
【図９】
0005045699.tif 000010
【図１０】
0005045699.tif 000011
【図１１】
0005045699.tif 000012
【図１２】
0005045699.tif 000013
【図１３】
0005045699.tif 000014
【図１４】
0005045699.tif 000015
【図１５】
0005045699.tif 000016
【図１６】
0005045699.tif 000017
【図１７】
0005045699.tif 000018
【図１８】
0005045699.tif 000019
【図１９】
0005045699.tif 000020
【図２０】
0005045699.tif 000021
【図２１】
0005045699.tif 000022
【図２２】
0005045699.tif 000023
【図２３】
0005045699.tif 000024
【図２４】
0005045699.tif 000025
【図２５】
0005045699.tif 000026
【図２６】
0005045699.tif 000027
【図２７】
0005045699.tif 000028
【図２８】
0005045699.tif 000029
【図２９】
0005045699.tif 000030
【図３０】
0005045699.tif 000031
【図３１】
0005045699.tif 000032
【図３２】
0005045699.tif 000033
【図３３】
0005045699.tif 000034
【図３４】
0005045699.tif 000035
【図３５】
0005045699.tif 000036
【図３６】
0005045699.tif 000037
【図３７】
0005045699.tif 000038
【図３８】
0005045699.tif 000039
【図３９】
0005045699.tif 000040
【図４０】
0005045699.tif 000041
【図４１】
0005045699.tif 000042
【図４２】
0005045699.tif 000043